(57)【特許請求の範囲】
【請求項１】
燃焼熱を熱源とする熱源部と、前記熱源部へ供給する燃料を蓄えた燃料タンク部と、前記熱源部の燃焼を制御する制御部と、ベルト部と収納部とを有する収納ケースとを備え、前記熱源部は、人体腰部に固定するために前記収納ケースの収納部に収容され、前記熱源部に給気口と排気口を設け、前記給気口に接続した給気通路を前記ベルト部内を通して延設し、前記排気口を接続する通路は収納部の下部に設けた排出口に連通し排気方向を下方に設定した保温器。
【発明の詳細な説明】
【０００１】
【発明の属する技術分野】
本発明は、燃料を搭載し、燃焼で発生する熱を利用して人体の暖房や保温を行なう携帯用の保温器に関するものである。
【０００２】
【従来の技術】
従来より、携帯用の暖房に用いる熱源として、ベンジン等の石油系燃料の燃焼熱を用いた懐炉がよく知られている。また、使い捨て懐炉として、鉄などの金属と酸化剤の化学反応を利用するものも広く普及している。
【０００３】
【発明が解決しようとする課題】
しかし、上記従来の懐炉は、発熱量が小さく局部的な加熱しかできないため、単一で身体全体を暖めることは不可能であり、多数個を分散して身に着けなければ十分な暖房効果が得られないという欠点があった。また、この種の懐炉は発熱温度を任意に調節することが困難であるから、使用目的や場所に応じて所望する温度で採暖することができなかった。
【０００４】
このような問題に対して、発熱量が大きく、発熱温度が調節可能な燃焼器を用いることが考えられるが、このような燃焼器により人間の身体を温めようとすると、人間の動作や種々の使用条件においても、燃焼に必要な空気を十分に確保するための給気と排気の処理と、発熱量の増大にともなう身体の広範囲にわたる熱分布のための熱拡散構造及び手段が課題となる。
【０００５】
そこで本発明は、発熱量の大きな燃焼器を人体に装着して、体の広範囲にわたって暖房が行えるとともに、使用中に給気と排気のショートサーキットにより発熱量が低下したり停止したりすることのない保温器を提供することを目的としている。
【０００６】
【課題を解決するための手段】
本発明は、燃焼熱を熱源とする熱源部と、前記熱源部へ供給する燃料を蓄えた燃料タンク部と、前記熱源部の燃焼を制御する制御部と、ベルト部と収納部とを有する収納ケースとを備え、前記熱源部は、人体腰部に固定するために前記収納ケースの収納部に収容され、前記熱源部に給気口と排気口を設け、前記給気口に接続した給気通路を前記ベルト部内を通して延設し、前記排気口を接続する通路は収納部の下部に設けた排出口に連通し排気方向を下方に設定したことにより、給気口と排気口とを距離を離して隔離することができるので、燃焼後の排気ガスを給気するショートサーキットを確実に防止することができ、燃焼に必要な空気を十分に確保でき安定した燃焼が持続できるものである。
【０００７】
【発明の実施の形態】
本発明の請求項１に記載の発明は、燃焼熱を熱源とする熱源部と、前記熱源部へ供給する燃料を蓄えた燃料タンク部と、前記熱源部の燃焼を制御する制御部と、ベルト部と収納部とを有する収納ケースとを備え、前記熱源部は、人体腰部に固定するために前記収納ケースの収納部に収容され、前記熱源部に給気口と排気口を設け、前記給気口に接続した給気通路を前記ベルト部内を通して延設し、前記排気口を接続する通路は収納部の下部に設けた排出口に連通し排気方向を下方に設定したものであり、給気口と排気口とを距離を離して隔離することができるので、燃焼後の排気ガスを給気するショートサーキットを確実に防止することができ、燃焼に必要な空気を十分に確保でき安定した燃焼が持続できる。
【０００８】
【実施例】
（実施例１）
以下本発明の第一の実施例について図１及び図２を用いて説明する。
【０００９】
図１は、保温器の熱源部１と燃料タンク部２と制御部３とで構成した本実施例の熱源ユニット４を、正面方向から見た断面図である。本実施例の保温器の熱源ユニット４は、暖房に必要な熱を発生する燃焼室６と、この燃焼室６を固定する取り付け板７とからなる熱源８と、この熱源８を収容する熱源部１と、燃焼室６へ供給する燃焼を蓄えた燃焼タンク部２と、燃焼室１の燃焼熱を制御する制御部３を備えている。さらに、燃焼室６の燃焼を制御するための指示、例えば温度設定などを制御部３に伝達するリモコン９と、制御部３の出力により放電着火をおこなうための着火回路１０を備えている。
【００１０】
本実施例では熱源８を収容する熱源部１を、燃料タンク部２、制御部３、リモコン９とそれぞれ分離している。燃料タンク部２には、燃料を貯蔵する燃料カートリッジ１１が着脱自在に設けられており、この燃料カートリッジ１１と燃焼室６とは可とう性のある燃料通路１２を介して連絡されている。また燃焼室６は、熱源部１に設けた燃焼に必要な空気を取り入れるための給気口１３及び燃焼時に発生するガスを排出するための排気口１４に連通している。給気口１３には給気通路２６の一端を連絡させており、他端には給気中の埃を除去するためのフィルター２７を設けている。燃料カートリッジ１１から燃料通路１２を介して送られる燃料は、燃料ノズル１５から噴出される。この噴出された燃料が、給気口１３から導入される燃焼用空気を吸引し、混合気となり、燃焼部１６で燃焼する。燃焼部１６内に突出し、着火回路１０に着火電線１７を介して接続された点火電極１８は混合気を燃焼部１６で着火させるものである。また、燃焼部１６で燃焼した後の排気は排気口１４から排出される。１９は本実施例の暖房・保温器を起動するための起動スイッチであり、この起動スイッチ１９を作動させると、燃料カートリッジ１１と燃料通路１２との間に設けた開閉弁２０を開くとともに、制御部３の電源を起動する。
【００１１】
図２に前記熱源ユニット４を収納ケース５内に収容した同暖房・保温器の全体構成図を示す。収納ケース５はベルト部２１を有しており、このベルト部２１の先端付近に設けられたファスナー２２により人体の胴囲に合わせて調節しながら人体腰部に固定できる様になっている。また、この収納ケース５は熱源部１で発生した熱を和らげ、腰部を快適な温度に保つため適度な断熱性を有するフェルト状の材料で構成されている。熱源部１の給気口１３に連絡した給気通路２６はベルト部２１内を通り、その先端に設けたフィルター２７はベルト部２１内の一部に配置されている。
【００１２】
起動スイッチ１９を作動して、開閉弁２０を開き燃焼カートリッジ１１から燃料を供給すると、燃料は燃料通路１２を通って燃焼室６に供給される。燃料はブタンあるいはプロパンあるいはこれらの混合であり、燃料カートリッジ１１に液状で貯蔵される。燃料カートリッジ１１は小さい方が携帯に望ましいが、燃焼時間は大きい方がよい。そこでブタンの場合１４ｇ程度の容量としている。燃焼室６に供給された燃料は気体状態であり、燃料ノズル１５から噴出した燃料が燃焼用空気を通気性を有するベルト部２１外壁、フィルター２７、給気通路２６を経て給気口１３から吸引し、混合気となる。起動スイッチ１９は作動と同時に制御部３の電源を起動し、この制御部３の出力により着火回路１０が動作し、点火電極１８で着火火花が周期的に発生する。これにより燃焼部１６内の混合気は点火され燃焼熱が発生する。これにより燃焼部１６内の混合気は点火され燃焼熱が発生する。発生した熱の大部分は燃焼室６の外壁２４で熱交換し、熱交換された燃焼ガスは温度が低下し、二酸化炭素と水蒸気の混合となって排気口１４から排出される。燃焼部１６の外壁２４で熱交換した熱は収納ケース５の断熱効果により緩和されながら人体側に伝導し、人体腰部を適度な温度で暖める。
【００１３】
この様に本実施例では給気口１３に給気通路２６を連絡させ、給気と排気をそれぞれ人体前部と後部とに隔離させており、人体後部で排出された排気が人体前部の給気通路２６先端まで回り込む間に拡散されるため、ショートサーキットによる不完全燃焼を防止することができ、常に安定した熱量を発生させることができる。
【００１４】
尚、本実施例以外に排気口のみに排気通路を連絡させた構成や、給気口と排気口にそれぞれ給気通路、排気通路を連絡させ先端を隔離した構成としても同様の効果が得られるが、本実施例の様に給気口のみに給気通路を連絡させた構成の方が、排気中の水蒸気の通路内での結露が無いため、構成がより簡単になる。
【００１５】
（実施例２）
本発明の第二の実施例について図１及び図３を用いて説明する。図１は本実施例の暖房・保温器の熱源部１と燃料タンク部２と制御部３とで構成した熱源ユニット４の平面方向から見た断面図である。
【００１６】
図３に前記熱源ユニット４を収納ケース５’内に収容した同暖房・保温器の全体構成図を示す。収納ケース５’はベルト部２１を有しており、このベルト部２１の先端付近に設けられたファスナー２２により人体の胴囲に合わせて調節しながら人体腰部に固定できる様になっている。また、この収納ケース５’は熱源部１で発生した熱を和らげ、腰部を快適な温度に保つため適度な断熱性を有するフェルト状の材料で構成されている。熱源部１の給気口１３に連絡した給気通路２６はベルト部２１内を通り、その先端に設けたフィルター２７はベルト部２１内の一部に配置されている。更に収納ケース５’の上部及び下部には、熱源部１で発生した暖気を対流により循環させるための上部開口２３及び下部開口２８を設けている。
【００１７】
起動スイッチ１９を作動して、開閉弁２０を開き燃焼カートリッジ１１から燃料を供給すると、燃料は燃料通路１２を通って燃焼室６に供給され、燃料ノズル１５から噴出した燃料が燃焼用空気を、給気穴２８、フィルター２７、給気通路２６を経て給気口１３から吸引し、混合気となる。起動スイッチ１９は作動と同時に制御部３の電源を起動し、この制御部３の出力により着火回路１０が動作し、点火電極１８で着火火花が周期的に発生する。これにより燃焼部１６内の混合気は点火され燃焼熱が発生する。これにより燃焼部１６内の混合気は点火され燃焼熱が発生する。発生した熱の大部分は燃焼室６の外壁２４で熱交換し、熱交換された燃焼ガスは温度が低下し、排気口１４から排出される。
【００１８】
燃焼部１６の外壁２４で熱交換した熱は、一方では収納ケース５’の断熱効果により緩和されながら人体側に伝導し、他方では下部開口２８から流入した外気を暖める。この暖気は熱源部１内を上昇し熱源部１上部に設けた暖気口２５を通過し、収納ケース１上部に設けた上部開口２８から上方に排出され、自然対流により人体の背中を腰部から上方に向かって上昇する。従って、腰部のみならず上半身全体に快適な暖房感が得られる。また暖房・保温器を装着した状態で上から衣服を着用すると一層暖房効果が高まる。
【００１９】
（実施例３）
本発明の第三の実施例について図４を用いて説明する。図４は本実施例の暖房・保温器の平面方向から見た断面図である。図４の１〜３、６〜２０、２４〜２６は実施例２と同様の構成である。排気口１４には排気通路２９の一端を連絡させている。また、他端は収納ケース５’’内の下部に配置し、収納ケース５’’の下部に設けた排出口３０に連絡させており、下部開口２８と排出口３０が分離した形となっている。
【００２０】
起動スイッチ１９を作動して、開閉弁２０を開き燃焼カートリッジ１１から燃料を供給すると、燃料は燃料通路１２を通って燃焼室６に供給され、燃料ノズル１５から噴出した燃料が燃焼用空気を、給気通路２６を経て給気口１３から吸引し、混合気となる。起動スイッチ１９は作動と同時に制御部３の電源を起動し、この制御部３の出力により着火回路１０が動作し、点火電極１８で着火火花が周期的に発生する。これにより燃焼部１６内の混合気は点火され燃焼熱が発生する。これにより燃焼部１６内の混合気は点火され燃焼熱が発生する。発生した熱の大部分は燃焼室６の外壁２４で熱交換し、熱交換された燃焼ガスは温度が低下し、排気口１４、排気通路２９を経て排出口３０から下方に向けて排出される。
【００２１】
燃焼部１６の外壁２４で熱交換した熱は、一方では収納ケース５’の断熱効果により緩和されながら人体側に伝導し、他方では下部開口２８から流入した外気を暖める。この暖気は熱源部１内を上昇し熱源部１上部に設けた暖気口２５を通過し、収納ケース１上部に設けた上部開口２８から上方に排出され、自然対流により人体の背中を腰部から上方に向かって上昇し、腰部のみならず上半身全体を快適に暖房する。
【００２２】
この様に本実施例では、収納ケース５’’の下部に排気を排出するための排出口３０を設け排気方向を下方に向けているため、暖房・保温器を装着した状態で上から衣服を着用した場合でも裾部から直接排気ガスを排出することができ、衣服内に排気が滞留しにくく、より一層ショートサーキットの発生が抑えられ燃焼に対する信頼性が向上する。また排出口３０と下部開口２８とは分離しているため排気が自然対流の影響によって収納ケース５’’内を上昇するようなことはない。
【００２３】
【発明の効果】
以上の様に本発明の請求項１に記載の発明によれば、燃焼熱を熱源とする熱源部と、前記熱源部へ供給する燃料を蓄えた燃料タンク部と、前記熱源部の燃焼を制御する制御部と、ベルト部と収納部とを有する収納ケースとを備え、前記熱源部は、人体腰部に固定するために前記収納ケースの収納部に収容され、前記熱源部に給気口と排気口を設け、前記給気口に接続した給気通路を前記ベルト部内を通して延設し、前記排気口を接続する通路は収納部の下部に設けた排出口に連通し排気方向を下方に設定したから、給気口と排気口とを距離を離して燃焼後の排気ガスを給気するショートサーキットを確実に防止することができ、燃焼に必要な空気を十分に確保でき安定した燃焼が持続できる。
【図面の簡単な説明】
【図１】  本発明の第一及び第二の実施例の保温器の熱源ユニットの断面図
【図２】  本発明の第一の実施例の保温器の全体構成図
【図３】  本発明の第二の実施例の保温器の全体構成図
【図４】  本発明の第三の実施例の保温器の断面図
【符号の説明】
１  熱源部
２  燃料タンク部
３  制御部
５、５’、５’’  収納ケース
１３  給気口
１４  排気口
２１  ベルト部
２３  上部開口
２６  給気通路
２８  下部開口
２９  排気通路
３０  排出口
【図１】
0003911824.tif 000002
【図２】
0003911824.tif 000003
【図３】
0003911824.tif 000004
【図４】
0003911824.tif 000005